(57)【要約】【課題】複数の製品包装ケースが運送または陳列時に相互に固定できないという問題を解決する、連結式包装ケースの提供。【解決手段】本発明の連結式包装ケースは、外殼体と底部を含む。外殼体はカバー体、突起ストリップ、凹陥溝を含む。カバー体は開口と、相対する第１側及び第２側を含む。突起ストリップは第１側に設置され、かつ開口の開口方向に平行に延伸され、突起ストリップの断面辺縁は１８０度より大きい第１円弧を成す。凹陥溝は第２側に設置され、かつ開口の開口方向に平行に延伸され、凹陥溝の断面辺縁は１８０度より大きい第２円弧を成し、かつ第２円弧の角度は第１円弧の角度より小さく、凹陥溝と別の連結式包装ケースの突起ストリップを嵌合結合することができる。底部はカバー体の開口に覆設される。【選択図】図１
2015083494.tif 000002
【特許請求の範囲】
【請求項１】
連結式包装ケースであって、カバー体、突起ストリップ、凹陥溝を含む外殼体と、底部を含み、
前記カバー体が開口と、相対する第１側及び第２側を含み、
前記突起ストリップが前記第１側に設置され、かつ前記開口の開口方向に平行に延伸され、前記突起ストリップの断面辺縁が１８０度より大きい第１円弧を成し、
前記凹陥溝が前記第２側に設置され、かつ前記開口の開口方向に平行に延伸され、前記凹陥溝の断面辺縁は１８０度より大きい第２円弧を成し、かつ前記第２円弧の角度は前記第１円弧の角度より小さく、前記凹陥溝と別の連結式包装ケースの前記突起ストリップを嵌合結合することができ、
前記底部が前記カバー体の開口に覆設される、ことを特徴とする、
連結式包装ケース。
【請求項２】
前記凹陥溝のうち一端の底部が他端の底部より高く、別の前記連結式包装ケースの前記突起ストリップと密嵌されることを特徴とする、請求項１に記載の連結式包装ケース。
【請求項３】
前記底部の一面が中央に向かって持ち上がり、台面を形成し、前記底部の他面が中央に向かって凹陥し、被嵌部を形成することを特徴とする、請求項１に記載の連結式包装ケース。
【請求項４】
前記カバー体の上部が内側に縮小されて挿嵌部を形成し、前記底部の前記被嵌部と嵌合結合することができることを特徴とする、請求項３に記載の連結式包装ケース。
【請求項５】
前記挿嵌部が、上面と、第１開口端及び第２開口端を含み、前記第１開口端が前記上面の辺縁に沿って前記上面に連接された縮小管壁と、前記縮小管壁の前記第２開口端から前記縮小管壁の径方向に外側に延伸された張り出し部と、を含むことを特徴とする、請求項４に記載の連結式包装ケース。
【請求項６】
前記底部が第１ガイド溝を備え、前記挿嵌部が第２ガイド溝を備え、そのうち、前記第２ガイド溝の溝が前記第１ガイド溝の溝より大きいことを特徴とする、請求項４に記載の連結式包装ケース。
【請求項７】
前記底部が前記台面上に設置された凸柱を含むことを特徴とする、請求項３に記載の連結式包装ケース。
【請求項８】
前記カバー体が幾何学的柱状体を成すことを特徴とする、請求項７に記載の連結式包装ケース。
【請求項９】
前記カバー体の前記開口が対称の幾何形状であることを特徴とする、請求項８に記載の連結式包装ケース。
【請求項１０】
前記カバー体の前記開口が橢円形であることを特徴とする、請求項９に記載の連結式包装ケース。
【発明の詳細な説明】
【技術分野】
【０００１】
本発明は包装ケースに関し、特に連結式包装ケースに関する。
【背景技術】
【０００２】
一般に、装飾品や玩具等の物品は製造が完了した後、通常個別に平坦な包装ケースに入れて包装される。しかし、このような物品の数量が多い場合、平坦な包装ケースは相互に連結する構造がないため、幾層にも積み重ねられた包装ケースが往々にして運送や陳列時に振動または衝撃によって倒壊してしまい、物品が破損するリスクが高まりやすい。
【発明の概要】
【発明が解決しようとする課題】
【０００３】
以上に鑑み、本発明の目的は、先行技術に存在する複数の製品包装ケースが運送または陳列時に相互に固定できないという問題を解決する、連結式包装ケースを提供することにある。
【課題を解決するための手段】
【０００４】
本発明の一実施例の連結式包装ケースは、外殼体と底部を含む。外殼体はカバー体、突起ストリップ、凹陥溝を含む。カバー体は開口と、相対する第１側及び第２側を含む。突起ストリップは第１側に設置され、かつ開口の開口方向に平行に延伸され、突起ストリップの断面辺縁は１８０度より大きい第１円弧を成す。凹陥溝は第２側に設置され、かつ開口の開口方向に平行に延伸され、凹陥溝の断面辺縁は１８０度より大きい第２円弧を成し、かつ第２円弧の角度は第１円弧の角度より小さく、凹陥溝と別の連結式包装ケースの突起ストリップを嵌合結合することができる。底部はカバー体の開口に覆設される。
【発明の効果】
【０００５】
本発明の連結式包装ケースによれば、それぞれの突起ストリップと凹陥溝を利用してその他の連結式包装ケースと相互に横方向に連結することができ、またそれぞれのカバー体と底部を利用してその他の連結式包装ケースと相互に縦方向に連結することもできるため、複数の包装ケースを一方向または二方向に配列した形態とすることができる。
【図面の簡単な説明】
【０００６】
【図１】本発明の実施例１の連結式包装ケースの立体図である。
【図２】本発明の実施例１の連結式包装ケースの分解図（一）である。
【図３】本発明の実施例１の連結式包装ケースの分解図（二）である。
【図４】本発明の実施例２の連結式包装ケースの立体図である。
【図５】図３のＡ区域の部分拡大図である。
【図６】本発明の実施例２の連結式包装ケースの連結を示す断面図である。
【図７】本発明の実施例３の連結式包装ケースの立体図である。
【図８】本発明の実施例４の連結式包装ケースの立体図である。
【図９】本発明の実施例４の連結式包装ケースの使用状態を示す立体図である。
【図１０Ａ】本発明の実施例５の底部の立体図である。
【図１０Ｂ】本発明の実施例６の底部の立体図である。
【図１１】本発明の実施例２の複数の連結式包装ケースで形成した曲面展示壁の俯瞰断面図である。
【発明を実施するための形態】
【０００７】
以下で「一実施例」と言及するときは、当該実施例の描述する技術的特徴、構造または特性すべてを結合して本発明の少なくとも１つの実施方式中に含めることができることを表す。明細書中の複数個所にて使用する「一実施例において」または「一部の実施例において」という語句は、複数の異なる実施例に係わることができ、単独の実施例またはその他実施例間は相互排他的ではない。
【０００８】
ここで使用する用語は単に特殊な実施例を説明するためだけのものであり、本発明を制限しない。例えば、全文中で同一の符号は同一の部材を表す。ここで「第１」及び「第２」等の用語で異なる部材を説明していても、これらの部材はこれらの用語のためにその順序が制限されることはない。
ここで使用される用語「または／及び」は、列記された項目の１つまたは複数の任意及び全部の組み合わせを含む。単数形式の「一」と「前記」は上下文中に明確に示されていない限り、複数の形式も含むと理解すべきである。また、明細書中である特徴、手順、部材または／及びアセンブリの存在を「含む」と説明する場合、１つまたは複数のその他の特徴、手順、部材、アセンブリまたは／及びその組み合わせの存在または追加を排除しないと理解すべきである。
【実施例１】
【０００９】
図１に本発明の実施例１の連結式包装ケース１００の立体図を示す。図２に本発明の実施例１の連結式包装ケース１００の分解図（一）を示す。図３に本発明の実施例１の連結式包装ケース１００の分解図（二）を示す。
【００１０】
図１から図３を併せて参照する。連結式包装ケース１００は、外殼体３００と底部５００を含む。外殼体３００はカバー体３２０、突起ストリップ３４０、凹陥溝３６０を含む。
カバー体３２０は開口３２１と、相対する第１側３２３及び第２側３２５を含む。突起ストリップ３４０は第１側３２３に設置され、かつ開口３２１の開口方向に平行に延伸され、凹陥溝３６０は第２側３２５に設置され、かつ開口３２１の開口方向に平行に延伸されて、嵌合結合に用いられる。底部５００はカバー体３２０的開口３２１に覆設される。
【００１１】
図２に示すように、カバー体３２０の開口３２１は概ね対称（例えば軸対称または点対称）を呈する幾何学形状であり、このためカバー体３２０は概ね幾何学的柱状体を成す。本実施例において、カバー体３２０の開口３２１は橢円形を呈するが、本発明の実施例はこれに限らず、開口３２１の形状は円形、長方形、六角形等の形状としてもよい。
【実施例２】
【００１２】
図４に本発明の実施例２の連結式包装ケース１００ａ、１００ｂの立体図を示す。相互に嵌合結合が可能な対応した構造の突起ストリップ３４０と凹陥溝３６０を通じて、２つの連結式包装ケース１００を相互に連結することができる。即ち、連結式包装ケース１００ａの突起ストリップ３４０は連結式包装ケース１００ｂの凹陥溝３６０と嵌合結合することができる。これにより、２つの連結式包装ケース１００ａ、１００ｂを横並びに連結することができる。
【００１３】
図６に本発明の実施例２の連結式包装ケース１００ａ、１００ｂの連結を示す断面図を示す。図６に示すように、突起ストリップ３４０の断面辺縁は１８０度より大きい第１円弧を成し、凹陥溝３６０の断面辺縁は１８０度より大きい第２円弧を成し、かつ第２円弧の角度α２は第１円弧の角度α１より小さく、連結式包装ケース１００ｂの凹陥溝３６０と連結式包装ケース１００ａの突起ストリップ３４０を嵌合結合することができる。かつ、２つの連結式包装ケース１００ａ、１００ｂを連結した後、あらかじめ確保されている角度差によって連結式包装ケース１００ａと連結式包装ケース１００ｂ間を相対して回動させ、両者を軸方向に最大で角度θまで曲げることができ、この角度θは（α１−α２）／２である。
これにより、複数の連結式包装ケースを連結したとき、曲面展示壁を形成し、図１１に示すように、変化のある視覚効果を生むことができる。図１１は本発明の実施例２の複数の連結式包装ケースで形成した曲面展示壁の俯瞰断面図である。
【００１４】
ここで、第１円弧の角度α１は約２７０〜３１０度の間とすることができ、例えば３００度としてもよい。第２円弧の角度α２は約２００〜２４０度の間とすることができ、例えば２３０度としてもよい。
【００１５】
図５に図３のＡ区域の部分拡大図を示す。図４に示すように、前述の凹陥溝のうち一端の底部３６１ａは他端の底部３６１ｂより高く、かつ一端の底部３６１ａは別の連結式包装ケース１００ａの突起ストリップと密嵌することができる。これにより、使用者は凹陥溝の他端の底部３６１ｂで２つの連結式包装ケース１００ａ、１００ｂを結合することができる。使用者が２つの連結式包装ケース１００ａ、１００ｂを手にして、２つの連結式包装ケース１００ａ、１００ｂが下方の支持を失ったとき、凹陥溝のうちの一端の底部３６１ａが連結式包装ケース１００ａの突起ストリップと密嵌されているため、連結式包装ケース１００ａが連結式包装ケース１００ｂから離脱するに至らない。
【００１６】
ここで、前述の凹陥溝のうち一端の底部３６１ａは開口３２１に近い一端に位置し、他端の底部３６１ｂは開口３２１から遠い一端に位置する。
一実施例において、２つの底部３６１ａ、３６１ｂの高低変化は階層式の変化または徐々に変化するようにすることができる。階層式の変化を例とすると、図５に示す高低差線３６３が前述の２つの底部３６１ａ、３６１ｂ間の高低変化境界線である。
【００１７】
再び図２を参照する。底部５００の一面は中央に向かって持ち上がり、台面５２０を形成し、底部５００の他面は中央に向かって凹陥し、被嵌部５４０を形成する。カバー体３２０の上部は内側に縮小され、挿嵌部３３０を形成し、底部５００の被嵌部５４０と嵌合結合することができる。
【実施例３】
【００１８】
図７に本発明の実施例３の連結式包装ケース１００ａ、１００ｃの立体図を示す。
図７に示すように、異なる連結式包装ケース１００ａ、１００ｃの被嵌部５４０と挿嵌部３３０が相互に嵌合され、２つの連結式包装ケース１００ａ、１００ｃを上下に重ね合わせる方式で結合して排列することができる。ここで、連結式包装ケース１００ａの挿嵌部３３０と連結式包装ケース１００ｃの被嵌部５４０が相互に嵌合される。
【００１９】
併せて図２と図３を参照する。挿嵌部３３０は上面３３２、縮小管壁３３４、張り出し部３３６を含む。縮小管壁３３４は相対する第１開口端３３４１と第２開口端３３４２を含む。第１開口端３３４１は上面３３２の辺縁に沿って上面３３２に連接される。張り出し部３３６は縮小管壁３３４の第２開口端３３４２から縮小管壁３３４の径方向に外側に延伸される。
同様に、底部５００は挿嵌部３３０に類似した構造と形状を備えている。つまり、底部５００も上面５５２、縮小管壁５５４、張り出し部５５６を含む。縮小管壁５５４の一端が上面５５２の辺縁に沿って上面５５２に連接され、他端が縮小管壁５５４の径方向に外側に延伸され、張り出し部５５６が形成される。
【００２０】
図７に示すように、連結式包装ケース１００ｃの底部５００を連結式包装ケース１００ａの挿嵌部３３０に重ね合わせたとき、底部５００の張り出し部５５６が挿嵌部３３０の張り出し部３３６に当接される。
【００２１】
再び図２と図３を参照する。突起ストリップ（即ち突起ストリップ３４０）は、開口３２１から挿嵌部３３０の張り出し部３３６まで延伸される。凹陥溝（即ち凹陥溝３６０）は開口３２１から挿嵌部３３０の張り出し部３３６まで延伸される。
【００２２】
図３に示すように、凹陥溝３６０の形状に合わせるため、底部５００の一側には第１ガイド溝５６０が設けられ、第１ガイド溝５６０の横断面は概ね半円の弧面を成す。
第１ガイド溝５６０の形状に対応するために、挿嵌部３３０の一側にも第２ガイド溝３３８が設けられ、第２ガイド溝３３８の横断面も概ね半円の弧面を成す。ここで、第２ガイド溝３３８の溝は第１ガイド溝５６０の溝より大きい。
【実施例４】
【００２３】
図８に本発明の実施例４の連結式包装ケース１００ａ〜１００ｄの立体図を示す。図８に示すように、連結式包装ケース１００ａ、１００ｂは前述のように突起ストリップ３４０と凹陥溝３６０により相互に横並びに連結することができる。
連結式包装ケース１００ｃ、１００ｄは前述のように突起ストリップ３４０と凹陥溝３６０により相互に横並びに連結することができる。
連結式包装ケース１００ａ、１００ｃは前述のように被嵌部５４０と挿嵌部３３０を重ね合わせて相互に連結することができる。
連結式包装ケース１００ｂ、１００ｄは前述のように被嵌部５４０と挿嵌部３３０を重ね合わせて相互に連結することができる。
【００２４】
図９に本発明の実施例４の連結式包装ケース１００ａ〜１００ｄの使用状態図を示す。図９に示すように、各連結式包装ケース１００ａ〜１００ｄには包装したい物品を入れることができ、ここでは玩具７００を例とする。
ここで、連結式包装ケース１００ａ〜１００ｄはプラスチックやガラスなどの透明材質で構成することができる。これにより、連結式包装ケース１００は展示用途に用いることができる。特に、前述の突起ストリップ３４０と凹陥溝３６０間及び被嵌部５４０と挿嵌部３３０間の連携した運用を通じて、より多くの数量の連結式包装ケース１００を連結させることができる。
【実施例５】
【００２５】
図１０Ａに本発明の実施例５の底部５００の立体図を示す。図１０Ａに示すように、底部５００は台面５２０上に設置された凸柱５８０を含むことができる。これにより、玩具７００の底部に凸柱５８０に対応する形状の挿入孔がある場合、挿入孔と凸柱５８０を連結させて玩具７００を底部５００上に固定することができる。
【実施例６】
【００２６】
図１０Ｂに本発明の実施例６の底部５００の立体図を示す。図１０Ｂに示すように、底部５００は前述の凸柱５８０を設けなくてもよく、他の類型の玩具７００を載せることができる。
【００２７】
上述をまとめると、本発明の連結式包装ケース１００はそれぞれの突起ストリップ３４０と凹陥溝３６０を利用してその他の連結式包装ケース１００と相互に横方向に連結することができ、またそれぞれのカバー体３２０と底部５００を利用してその他の連結式包装ケース１００と相互に縦方向に連結することもでき、一方向または二方向に配列した形態の包装ケースとすることができる。
【符号の説明】
【００２８】
１００    連結式包装ケース
１００ａ、１００ｂ  連結式包装ケース
１００ｃ、１００ｄ  連結式包装ケース
３００    外殼体
３２０    カバー体
３２１    開口
３２３    第１側
３２５    第２側
３３０    挿嵌部
３３２    上面
３３４    縮小管壁
３３４１  第１開口端
３３４２  第２開口端
３３６    張り出し部
３３８    第２ガイド溝
３４０    突起ストリップ
３６０    凹陥溝
３６１ａ  一端の底部
３６１ｂ  他端の底部
３６３    高低差線
５００    底部
５２０    台面
５４０    被嵌部
５５２    上面
５５４    縮小管壁
５５６    張り出し部
５６０    第１ガイド溝
５８０    凸柱
７００    玩具
Ａ        区域
θ、α１、α２  角度
【図１】
2015083494.tif 000003
【図２】
2015083494.tif 000004
【図３】
2015083494.tif 000005
【図４】
2015083494.tif 000006
【図５】
2015083494.tif 000007
【図６】
2015083494.tif 000008
【図７】
2015083494.tif 000009
【図８】
2015083494.tif 000010
【図９】
2015083494.tif 000011
【図１０Ａ】
2015083494.tif 000012
【図１０Ｂ】
2015083494.tif 000013
【図１１】
2015083494.tif 000014